(57)【要約】【課題】  ビデオカメラにおいて複数枚のダビングを行うときに、各ディスクのダビングが終了するごとにディスク交換を促すダイアログが出るが、ダビングには数十分の時間がかかるため、ダビングの間にユーザーはカメラの前を離れていることが多く、ダビングの終了にユーザーが気付きにくいという問題点があった。また、各ディスクのダビングが終了してからディスク交換が行われるまでの間、電力が無駄に消費されてしまい、特にバッテリーでダビングする場合においては、駆動時間が減ってしまうという問題があった。一方、電力を無駄に消費することによって発生する熱もまた問題である。DVDドライブは高温下でのダビング速度が低下してしまうという性質があるため、これにより、２枚目以降のディスクのダビング速度が低下してしまう可能性があるという問題があった。【解決手段】各ディスクのダビング後、スタンバイ状態にし、継続的な音などによりユーザーにダビングが終了したことを通知する。【選択図】 図１
2010010981.tif 000002
【特許請求の範囲】
【請求項１】
第1の記録メディアから複数枚の第2の記録メディアにダビングを行う事ができるビデオカメラにおいて、各第2の記録メディアにダビング後、次の第2の記録メディアにダビングするまでの間、カメラをスタンバイ状態にする手段を有するビデオカメラ。
【請求項２】
第1の記録メディアから複数枚の第2の記録メディアにダビングを行う事ができるビデオカメラにおいて、次の第2の記録メディアが挿入されるまでの間、継続的な音や光によりユーザーにダビングが終了したことを通知する手段を有するビデオカメラ。
【請求項３】
請求項１において、
次の第2の記録メディアが挿入されるまでの間、継続的な音や光によりユーザーにダビングが終了したことを通知する手段を有するビデオカメラ。
【請求項４】
請求項２において、
音や光を継続的に通知する時の時間や間隔、大きさを変化させる手段を有するビデオカメラ。
【請求項５】
請求項１において、
スタンバイ状態にするまでの時間を任意に設定できる手段を有するビデオカメラ。
【請求項６】
請求項１において、
バッテリーを使用している場合において、スタンバイ中に電力が少なくなったときに自動的に電源を切る手段を有するビデオカメラ。
【発明の詳細な説明】
【技術分野】
【０００１】
本発明は、ビデオカメラに関し、特にはダビング時の処理に関する。
【背景技術】
【０００２】
背景技術として、特開2006-196091号公報（特許文献１）がある。該公報には、「（課題）ユーザが簡単な操作で、複数のビデオテープに記録されたアナログ映像音声信号の全てをDVD等のデジタル記録メディア一枚に対して自動的にダビングできる映像音声信号記録再生装置を提供する。（解決手段）初めに一度だけユーザにダビングするビデオテープの本数、ダビングするビデオテープに記録されている映像音声信号の録画モードを選択させる。その後、実際にダビング動作を開始する前に、ビデオテープを始端まで巻き戻し、ビデオテープの総再生時間に対してデジタル記録メディアの空き容量に収まるように記録ビットレートを調節しデジタル記録メディアに対してダビングを開始する。ダビングが終了した時に、ビデオテープを自動的に取り出し、ユーザにビデオテープを入れ替えさせる。この操作をダビングが終了したビデオテープの本数とユーザに指定された本数が一致するまで繰り返すことで、前記課題を解決する。」と記載されている。
【０００３】
【特許文献１】特開2006-196091号広報
【発明の開示】
【発明が解決しようとする課題】
【０００４】
HDD（Ｈａｒｄ Ｄｉｓｃ Ｄｒｉｖｅ）とDVD（Ｄｉｇｉｔａｌ Ｖｅｒｓａｔｉｌｅ Ｄｉｓｃ）の両方のメディアを搭載し、HDDに録画した映像を、後からDVDにダビングすることができるシステムを備えたビデオカメラがある。通常、HDDの容量は数十GB（Ｇｉｇａ Ｂｙｔｅ）であり、DVD一枚の容量である数GBよりも大きいため、HDDからDVDへのダビングが複数枚のDVDにまたがるケースも存在する。このようにメディア交換を伴うダビングの際、メディア交換を実現する方法については、特許文献１にあるような「ダビングが終了したビデオテープの本数がユーザーに指定された本数よりも少ない時に、次のビデオテープの挿入を換気するＧＵＩ画面を表示」し、ユーザーがそのダイアログに従って次のディスクを挿入することでダビングを続行することにより、複数枚のDVDにまたがるダビングを実現する手法が一般的である。さらに特許文献１には、「更に、ユーザー出力手段として表示管やＧＵＩ画面表示としたが、ユーザーに対して通知または表示するものであれば、これら以外の手段も含む。」とあり、画面以外の手段でユーザーに通知する手法についても言及されている。
【０００５】
また、この際の電源供給は、ACアダプタから電源供給する方法のほか、外出先でもダビングができるように、バッテリーから電源供給する方法も考えられる。
【０００６】
また、外出先などでの使用が多いビデオカメラにおいてはバッテリーの持ちを長くする目的でスタンバイモードを備えたビデオカメラも多くなってきている。なお、スタンバイモードとは、現在のシステムの状態を保持するのに必要な最低限度の機能のみを残し電力を節約するための省電力モードのことである。
【０００７】
前述したように、HDDとDVDの両方のメディアを搭載したビデオカメラにおいて複数枚のDVDにまたがるような長時間のシーンのダビングを行うときに、各ディスクのダビングが終了するごとに、表示部にディスク交換を促すダイアログが出る。しかしながら各ディスクのダビングが終了するまでには、通常数十分の時間がかかる（８ｃｍDVDの場合には標準画質で30分録画可能であるため、等速ダビングで30分、倍速ダビングでも15分かかる）ため、各ディスクのダビングの間にユーザーはカメラの前を離れていることが多く、ダビングの終了にユーザーが気付きにくいという問題点があった。
【０００８】
また、各ディスクのダビングが終了してからディスク交換が行われるまでの間は、ビデオカメラはディスク入れ替え画面の表示などにより電力を無駄に消費してしまっていた。これにより、特にバッテリーを電源としてダビングする場合には、駆動時間が減ってしまうという問題があった。
【０００９】
一方、電力を無駄に消費することによって発生する熱もまた問題である。DVDドライブは高温下でのダビング速度が低下してしまうという性質があるため、これにより、２枚目以降のディスクのダビング速度が低下してしまう可能性があるという問題があった。
【００１０】
本発明は上記問題点に対し音や光による通知、ならびにスタンバイモードの技術を用いることにより、これら３つの問題を解決し使い勝手を向上させることを目的とする。
【課題を解決するための手段】
【００１１】
上記問題を解決するため、本発明によれば、例えば、第1の記録メディアから複数枚の第2の記録メディアにダビングを行う事ができるビデオカメラにおいて、各第2の記録メディアにダビング後、次の第2の記録メディアにダビングするまでの間、カメラをスタンバイ状態にする手段を設ける。
【００１２】
また、本発明によれば、例えば、第1の記録メディアから複数枚の第2の記録メディアにダビングを行う事ができるビデオカメラにおいて、次の第2の記録メディアが挿入されるまでの間、継続的な音や光によりユーザーにダビングが終了したことを通知する手段を設ける。
【００１３】
詳細には、上記目的を達成するため、本発明は、特許請求の範囲に記載の構成とする。
【発明の効果】
【００１４】
本発明によれば、例えば、各ディスクのダビング後、次のディスクが挿入されるまでの間の消費電力が節約される。これは、バッテリーを電源としてダビングを行う場合に特に有効である。
【００１５】
また、本発明によれば、例えば、各ディスクのダビング後、音による継続的な通知が行われるため、ユーザーはビデオカメラのそばを離れている場合でも、ビデオカメラのディスクの交換要求に気づきやすく、効率的に複数枚のダビング作業を行うことができる。
【発明を実施するための最良の形態】
【００１６】
図１は本発明を適用したビデオカメラの構成を示す図である。
【００１７】
図１において、システム制御部１０５は、操作部１０１に設けられたカーソルキー１０２および決定キー１０３を通じてユーザーからの操作を受けつける。図１において、ＬＥＤ１０６（Ｌｉｇｈｔ Ｅｍｉｔｔｉｎｇ Ｄｉｏｄｅ）、スピーカ１０７、表示部１０４を用いてユーザーへの情報提示を行う。図１において、ダビング制御部１０８を通じてＨＤＤ１０９やDVD１１０をコントロールし、ＨＤＤ１０９からＤＶＤへのダビングを行う。
【００１８】
ここでシステム制御部１０５にダビング終了時に、スタンバイモードに移行する手段を新たに設ける。また、スタンバイ中には、スピーカ１０７から継続的な音を出す手段を設けることにより、ユーザーに対してダビング終了を通知する。
【００１９】
図２は、図１のシステムにおいて、ＨＤＤ１０９に記録された映像をDVDにコピーするダビング処理におけるビデオカメラの動作を示すフローチャートである。
【００２０】
ST201『ダビング開始』：
ユーザーはシステム制御部１０５に対し、操作部１０１を用いてダビング開始の指示を送る。
【００２１】
ST202『ダビングシーン選択画面表示』：
システム制御部１０５はＨＤＤ１０９内のデータを検索し、表示部１０４にダビングシーン選択画面を表示する。図３にその一例を示す。
【００２２】
ST203『ダビングシーン選択』：
ユーザーは操作部１０１に設けられたカーソルキー１０２と決定キー１０３を用いて、ダビング候補シーンのサムネイル３０１を選択する。図３はその一例で、シーンＡ，Ｃ，Ｄ，Ｅ，Ｆが選択状態で、カーソル３０２がシーンＨに合わさっていることを示す。決定キー１０３押下で次のST204『「ダビング候補リスト」作成』に遷移する。
【００２３】
ST204『「ダビング候補リスト」作成』：
システム制御部１０５は、ユーザーが選択したシーンを「ダビング候補リスト」に登録する。また、システム制御部１０５は、「現ダビングリスト」を作成する。「現ダビングリスト」は、一枚のＤＶＤにダビング可能なシーンを一時的に登録するリストであり、初期値は、「シーン登録なし」である。図４はその一例で、ST203『ダビングシーン選択』にてシーンＡ，Ｃ，Ｄ，Ｅ，Ｆを選択した場合である。
【００２４】
ST205『「現ダビングリスト」作成』：
システム制御部１０５は、「ダビング候補リスト」のうち、前から順番に各シーンのサイズを取得し、「現ダビングリスト」に登録済のシーンのサイズと合計し、１枚のメディアのサイズ以下であれば、「現ダビングリスト」に追加していく。こうして、DVDメディアに収まる分だけ、「現ダビングリスト」にシーンを登録する。「現ダビングリスト」に登録したシーンは「ダビング候補リスト」からは削除する。
たとえば、「ダビング候補リスト」に登録されたシーンとそのサイズが、シーンＡ（０．２ＧＢ），Ｃ（０．２ＧＢ），Ｄ（０．７ＧＢ），Ｅ（０．６ＧＢ），Ｆ（０．５ＧＢ）だった場合、一枚のＤＶＤ（約１．４ＧＢ）にダビング可能なシーンはシーンＡ，Ｃ，Ｄとなるので、これらのシーンが「現ダビングリスト」に登録される。（図５）
ST206『ディスクにダビング』：
システム制御部１０５は、「現ダビングリスト」のシーンをディスクにダビングする。そして、「現ダビングリスト」に登録されたシーンを全て削除する。
【００２５】
ST207『ダビング終了判定』：
「ダビング候補リスト」に登録されているシーンが０個の場合、ST208『ダビング終了』に遷移する。１個以上の場合は、ST209『ディスク入れ替え画面表示』に遷移する。
【００２６】
ST208『ダビング終了』：
ダビングを終了する。
【００２７】
ST209『ディスク入れ替え画面表示』：
ディスク入れ替えをユーザーに促す画面を表示する。このとき、スピーカ１０７より、音による通知（たとえば、「ピピッ、ピピッ、・・・」というBeep音）と、LED１０６より、光による通知も併せて行う。これらの、音と光による通知は、ST214『ディスク認識』に遷移するまで継続させる。このときの音や光のパターン（継続的に通知する時の時間や間隔、大きさ）は、設定記憶部１１３にあらかじめ設定しておいたパラメータを読み出して決定する。このパラメータによっては、音と光のいずれか、または両方をオフにすることもできる。
【００２８】
ST210 『ディスク入れ替え操作有無』：
ここで、ユーザーによりディスク入れ替え操作が行われた場合、ST214『ディスク認識』に遷移する。あらかじめ設定記憶部１１３に任意に設定しておいた時間内に操作がない場合、ST211『スタンバイ移行』に遷移する。
【００２９】
ST214『ディスク認識』：
挿入されたディスクを認識し、ST205『「現ダビングリスト」作成』に遷移する。
【００３０】
ST211『スタンバイ移行』：
システム制御部１０５は、システムをスタンバイモードに移行する。このとき、ディスク入れ替え画面で開始した音や光による通知は継続して行う。なお、これらの音や光のパターンは、ディスク入れ替え画面の設定を使用してもよいし、別の設定をあらかじめ設定しておき使用する方法でもよい。
【００３１】
ST212『バッテリー残量有無』：
システム制御部１０５は、バッテリー制御部１１１よりバッテリー残量を取得し、それが閾値を下回っている場合、ST215『電源断』に遷移する。バッテリー残量が一定以上の場合、またはACアダプタによる電源供給の場合はST213『スタンバイ解除操作有無』に遷移する。
【００３２】
ST213『スタンバイ解除操作有無』：
ユーザーが、操作部１０１を用いてスタンバイ解除を行うと、ST209『ディスク入れ替え画面表示』に遷移する。スタンバイ解除操作がなかった場合、ST212『バッテリー残量有無』に遷移し、スタンバイ状態を継続する。
【００３３】
以上のような動作を行う事で、各ディスクのダビング後、次のディスクが挿入されるまでの間の消費電力が節約されるとともに、ユーザーはビデオカメラのそばを離れている場合でも、ビデオカメラのディスクの交換要求に気づきやすく、効率的に複数枚のダビング作業を行うことができる。
【図面の簡単な説明】
【００３４】
【図１】本発明が適用されるシステムの構成を示す図である。
【図２】本発明の実施形態におけるダビング処理を示すフローチャートである。
【図３】ダビングシーン選択画面表示の一例である。
【図４】「ダビング候補リスト」「現ダビングリスト」の説明図である。
【図５】「ダビング候補リスト」「現ダビングリスト」の説明図である。
【符号の説明】
【００３５】
１０１： 操作部
１０２： カーソルキー
１０３： 決定キー
１０４： 表示部 
１０５： システム制御部
１０６： ＬＥＤ
１０７： スピーカ
１０８： ダビング制御部
１０９： ＨＤＤ
１１０： ＤＶＤ
１１１： バッテリー制御部
１１２： 電源
１１３： 設定記憶部
【図１】
2010010981.tif 000003
【図２】
2010010981.tif 000004
【図３】
2010010981.tif 000005
【図４】
2010010981.tif 000006
【図５】
2010010981.tif 000007